(57)【特許請求の範囲】
【請求項１】
筒状をなす金属製ケースと、このケースの長手方向両端部に夫々取付けられた端部材と、前記ケースに内蔵されたトランス本体と、前記端部材のうち開口を有する一方の端部材および前記トランス本体に両端を夫々支持されて前記ケースに内蔵された電気絶縁材製のホルダと、前記トランス本体に取付けられた端子金具と前記一方の端部材に取付けられた端子金具とに両端部を夫々機械的および電気的に接続して前記ホルダに取付けられた中継端子金具と、この中継端子金具に半田付けして前記ケースに内蔵されたコンデンサと、前記各内蔵部品と前記ケースとの間の空間に前記開口を通して充填された充填剤とを具備する放電灯安定器において、
前記コンデンサのコンデンサ本体に接する斜面、およびこの斜面に連なって前記ホルダに対して前記コンデンサ本体を浮かすコンデンサ受け面を有して、前記ケースの長手方向に延びる複数のリブからなる支持凸部を前記ホルダに突設し、これら支持凸部で前記コンデンサ本体を前記ホルダから浮かせて前記ケースの長手方向に斜めに支持したことを特徴とする放電灯安定器。
【発明の詳細な説明】
【０００１】
【産業上の利用分野】
本発明は、蛍光灯照明器具等の点灯装置に使用される放電灯安定器に係り、特に、金属製のケースとこれに収納された内蔵部品との間の空間に充填剤を充填してなる放電灯安定器に関する。
【０００２】
【従来の技術】
図９は充填剤が充填されるタイプの放電灯安定器の第１従来例を示し、図１０〜図１２は同タイプの放電灯安定器の第２従来例を示している。これら従来の放電灯安定器は後述するコンデンサの配置構造以外は同様な構成であり、いずれも、ケース１と、端部材２、３と、トランス本体４と、ホルダ５と、中継端子金具６と、コンデンサ７〜９と、充填剤１０とを備えている。
【０００３】
ケース１は金属製の角筒状である。端部材２、３は合成樹脂製であって、一方の端部材２はケース１の長手方向一端の開口を塞いで取付けられ、他方の下端部材３はケース１の長手方向他端部に取付けられているとともに、この端部材３は充填剤注入用の開口３ａを有している。トランス本体４は、コア４ａと、これに組み合わされるコイル４ｂ、４ｃと、パスコア４ｄとを有してなり、ケース１内の端部材２側に内蔵されている。トランス本体４がその長手方向両端部に備える端子台４ｅには夫々複数の端子金具１１、１２が取付けられている。端部材２側の各端子金具１１は、端部材２に取付けられた端子金具１３に半田付けされている。なお、端子金具１１の存在を明確にするため、一部の端子金具１３を省略して図９（Ａ）および図１０（Ａ）は描かれている。
【０００４】
ホルダ５は、略平板状に成形された合成樹脂製であって、その両端をトランス本体４および端部材３に夫々支持されてケース１に内蔵されている。なお、図１２（Ａ）（Ｂ）は第２従来例で使用するホルダの構成を示した斜視図であって、この図中５ａは端部材３の図示しないホルダ受け部に係合される位置決め凸部、５ｂはトランス本体４の図示しないホルダ受け部に係合される位置決め凸部であり、図９に示された第１従来例のホルダ５も同様な位置決め凸部を有している。
【０００５】
ホルダ５の上面には細長い中継端子金具６が互いに平行に取付けられている。図１２（Ａ）中５ｃは隣接する中継端子金具６間を仕切る仕切り凸部であって、これは中継端子金具６の厚みに見合った低いリブ状をなしている。また、図１２（Ａ）中５ｄは中継端子金具６が引っ掛かるストッパ壁である。この中継端子金具６の一端部は端子金具１２に重なって半田付けされているとともに、他端部は端部材３に取付けられた端子金具１４に重なって半田付けされている。なお、中継端子金具６の存在を明確にするため、一部の端子金具１４を省略して図９（Ａ）および図１０（Ａ）は描かれている。
【０００６】
コンデンサ７〜９は、いずれもコンデンサ本体７ａ〜９ａに２本のリード７ｂ〜９ｂを突出してなり、そのリード７ｂ〜９ｂをホルダ５に通して中継端子金具６に半田付けすることによって、ホルダ５の下側に配置されている。なお、図１２（Ａ）（Ｂ）中５ｅは円錐状をなすリード通孔である。使用されるコンデンサには、放電灯点灯回路の構成に応じて要請される機能を有し、かつ、前記回路の電気的特性に合わせた容量（大きさ）のものが選択される。そして、図９（Ｂ）、図１０（Ｂ）において、コンデンサ７は雑音防止用、コンデンサ８は起動用、コンデンサ９は進相用のものを示している。
【０００７】
これらコンデンサ７〜９は次のように設けられている。図９に示される第１従来例において各コンデンサ７〜９は、各コンデンサ本体７ａ〜９ａを平行に寝かせてその一側面がホルダ５の下面に接する姿勢で取付けられている。そして、この取付け姿勢に支持するために、各コンデンサ本体７ａ〜９ａはホルダ５の下面に接着剤１５を介してぞれぞれ接着されている。
【０００８】
また、図１０に示される第２従来例において各コンデンサ７〜９は、各コンデンサ本体７ａ〜９ａをホルダ５に対して垂直に立つ姿勢で取付けられている。そのため、各コンデンサ本体７ａ〜９ａは図１０（Ｂ）および図１１に示されるようにケース１の底板１ａに近接されている。
【０００９】
充填剤１０は不飽和ポリエステル樹脂等からなり、これはケース１と、これに内蔵されたトランス本体４やホルダ５等の内蔵部品との間の空間に充填される。この充填は、内蔵部品が内蔵されたケース１を垂直に立てて、その状態で上端部に配置された端部材３の開口３ａを通して充填剤原液を注入して実施される。
【００１０】
【発明が解決しようとする課題】
図９に示される第１従来例は、コンデンサ７〜９を接着止めするために、これらを安定して支持できる点で優れている。しかし、各コンデンサ７〜９を平行に寝かせて配置することから、その配置スペースを確保する必要上、ホルダ５および中継端子金具６、並びにケース１を長く形成しなければならない。したがって、第１従来例の放電灯安定器は全長が長いという問題があるとともに、材料費がかさみ、しかも、コンデンサ７〜９を接着する手間も必要であるので、コスト高であるという問題がある。
【００１１】
図１０〜図１２に示される第２従来例では、コンデンサ７〜９はそのリード７ｂ〜９ｂと中継端子金具６との半田付け部１６のみで支持されているから、充填剤１０を充填する以前における組立てライン上での搬送時や、充填剤１０の充填時において、コンデンサ７〜９が容易に揺れ動き、それに伴って半田にクラックを生じる恐れが高いという問題がある。なお、半田にクラックが発生すると、電気的接続が損われたり、スパークを生じて焼損に至る恐れが高まる等の不都合を招く原因となる。しかも、コンデンサ７〜９をホルダ５に対して垂直に立てて設けたから、コンデンサ７〜９とケース１のケース底板１ａとの間の絶縁距離が少なくなって、耐圧不良を招く恐れが大きいという問題がある。
【００１２】
また、第１従来例では、コンデンサ本体７ａ〜９ａがホルダ５に接しているため、充填剤１０の充填中に混入された空気が気泡となって各コンデンサ本体７ａ〜９ａとホルダ５との間に溜り易く、気泡の排出が容易ではないから、充填量のコントロールが難しいという問題がある。また、第２従来例では、ホルダ５に対して垂直に立っている各コンデンサ７〜９が流入される充填剤１０の流れを妨げ易いとともに、これらが気泡の排出を妨げ易いので、充填量のコントロールが難しいという問題がある。
【００１３】
本発明の目的は、中継端子金具とコンデンサとを接続した半田にクラックを生じることを少なくできるとともに、コンデンサの耐圧不良を防止でき、しかも、コンパクトでかつ充填剤の充填量のコントロールを容易にできる安価な放電灯安定器を得ることにある。
【００１４】
【課題を解決するための手段】
本発明は、筒状をなす金属製ケースと、このケースの長手方向両端部に夫々取付けられた端部材と、前記ケースに内蔵されたトランス本体と、前記端部材のうち開口を有する一方の端部材および前記トランス本体に両端を夫々支持されて前記ケースに内蔵された電気絶縁材製のホルダと、前記トランス本体に取付けられた端子金具と前記一方の端部材に取付けられた端子金具とに両端部を夫々機械的および電気的に接続して前記ホルダに取付けられた中継端子金具と、この中継端子金具に半田付けして前記ケースに内蔵されたコンデンサと、前記各内蔵部品と前記ケースとの間の空間に前記開口を通して充填された充填剤とを具備する放電灯安定器を前提とする。
【００１５】
そして、前記目的を達成するために、前記コンデンサのコンデンサ本体に接する斜面、およびこの斜面に連なって前記ホルダに対して前記コンデンサ本体を浮かすコンデンサ受け面を有して、前記ケースの長手方向に延びる複数のリブからなる支持凸部を前記ホルダに突設し、これら支持凸部で前記コンデンサ本体を前記ホルダから浮かせて前記ケースの長手方向に斜めに支持したものである。
【００１６】
【作用】
請求項１の発明に係る放電灯安定器において、ホルダに設けた支持凸部は、中継端子金具に半田付けして取付けられるコンデンサを、ケースの長手方向に斜めの姿勢にして支持する。それにより、コンデンサが複数設けられる場合でも、それらをホルダに沿って寝かせて平行に設ける配置構造に比較して、各コンデンサの配設に要するケースの長手方向に沿う配設スペースを小さくできるとともに、コンデンサをホルダに対して垂直に立てて設ける配置構造に比較して、ケースのケース底板との間の絶縁距離を大きく確保できる。
【００１７】
また、ケース内に充填剤を充填する前における組立てライン上での搬送や、充填剤の充填時において、支持凸部は、コンデンサが揺れ動くことを抑制して、コンデンサの半田付け部の半田に対するストレスを小さくする。
【００１８】
更に、請求項１の発明に係る放電灯安定器では、支持凸部をなす複数のリブが、コンデンサをホルダから浮かせて斜めに支持し、充填剤の充填前の状態ではホルダとコンデンサとの間に通路を確保する。そのため、斜めに支持されているコンデンサは注入される充填剤原液を案内してその流れ込みを方向付けするとともに、コンデンサの傾斜上端側とこれに対向するケースのケース底板との間、または前記傾斜上端側とこれに対向するホルダとの間に確保された通路は、前記充填剤中の気泡を排出する通路として利用される。
【００１９】
【実施例】
以下、図１〜図７を参照して本発明の第１実施例を説明する。
図１〜図４中符号２１で示した金属製のケースは、ケース底板２１ａにケースカバー板２１ｂを連結して略各筒状に形成されている。これらは互いに重なり合った側板部に通される図示しない複数のリベットを介して連結されている。なお、このリベットによる連結は、ケース底板２１ａ上に後述の端部材および全ての内蔵部品が配置された後に行われる。
【００２０】
ケース底板２１ａはケースカバー板２１ｂよりも長く、その長手方向両端部には図１および図３に示されるように夫々ゴム製の取付けブッシュ２２が取付けられている。これら取付けブッシュ２２の中心孔を貫通する図示しない取付けねじを介してケース２１は、そのケース底板２１ａを上側にして図示しない多灯用蛍光灯照明器具のシャーシに取付けられる。
【００２１】
このケース２１の長手方向一端部には合成樹脂製の端部材２３が、ケース２１の一端開口を塞いで装着されている。同様に合成樹脂製の端部材２４がケース２１の長手方向他端部に装着されている。
【００２２】
図１〜図３に示されるように端部材２４のケース底板２１ｂ側には充填剤注入用の開口２５が設けられている。図１（Ａ）に示されるように端部材２４に複数の端子金具２６が取付けられている。なお、後述の中継端子金具３４の存在を明確にするために、端子金具２６の一部を省略して図１（Ａ）は描かれている。図２に示されるように端子金具２６は、自己鎖錠形の鎖錠片２６ａとこれに対向する通孔２６ｂを一端部に有するとともに、他端部に平板状の半田付け端部２６ｃを設けて形成されている。図２および図３に示されるように端部材２４には各端子金具２６の通孔２６ｂに個別に連通するリード線導入孔２７が設けられている。
【００２３】
図示しない器具内配線などのリード線の端末部の芯線は、リード線導入孔２７に挿入されることにより、通孔２６ｂを通って斜めの鎖錠片２６ａをそのばね性に抗して押し開きながら通過するから、この鎖錠片２６ａの先端のエッジが芯線に食い込んで、それによる自己鎖錠で端子金具２６とリード線とが機械的および電気的に接続されるようになっている。
【００２４】
図１（Ａ）に示されるように端部材２３にも複数の端子金具２８が取付けられている。なお、後述の端子金具３０の存在を明確にするために、端子金具２８の一部を省略して図１（Ａ）は描かれている。これら端子金具２８の構成は前記端子金具２６と同じであり、また、端部材２３にも図示しないリード線導入孔が端子金具２８に個別に対応して設けられている。
【００２５】
ケース２１には端部材２３側に配置されるトランス本体２９が内蔵されている。この本体２９は、積層鉄心からなるコア２９ａと、これに組合わされたコイル２９ｂ、２９ｃと、両コイル２９ｂ、２９ｃ間に配置されたパスコア２９ｄとを有してなる。コイル２９ｂ、２９ｃが巻き付けられた合成樹脂製のコイルボビンには、トランス本体２９ｂの長手方向両端部に位置される端子台２９ｅ、２９ｆが一体に形成されている。端部材２３側の端子台２９ｅには、コイル端末が接続される複数の端子金具３０がトランス本体２９の幅方向に並んで取付けられ、他方の端子台２９ｆにもコイル端末が接続される複数の端子金具３１がトランス本体２９の幅方向に並んで取付けられている。なお、図１（Ｂ）中２９ｇはコア２９ａの長手方向両端部に夫々被嵌された端部キャップである。
【００２６】
ケース２１には端部材２４側に配置されるホルダユニット３２が内蔵されている。このユニット３２は、図５および図６等に示されるようにホルダ３３と、中継端子金具３４と、複数の電気部品、すなわち、コンデンサ３５〜３７および放電抵抗３８とを夫々取付けて形成されている。
【００２７】
ホルダ３３は合成樹脂の一体成形品であって、ホルダ本体４０と、位置決め凸部４１、４２と、仕切りリブ４３と、ストッパ壁４４と、支持凸部４５とを有している。
【００２８】
詳しくは、図５〜図７に示されるようにホルダ本体４０は略平板状をなすものであって、その長手方向両端に夫々位置決め凸部４１、４２が夫々設けられている。ホルダ本体４０の長手方向一端に突設された一対の位置決め凸部４１は、トランス本体２９の図示しないホルダ受け部（これは前記コイルボビンに一体に形成されている。）に係合され、同様にホルダ本体４０の長手方向他端に突設された一対の位置決め凸部４２は、端部材２４に一体に形成された図示しないホルダ受け部に係合されるものである。そして、これら位置決め凸部４１、４２を前記両ホルダ受け部に個別に係合させることによって、端部材２４とトランス本体２９との間に渡ってホルダ３３が取付けられるようになっている。
【００２９】
図５等に示されるように仕切りリブ４３は、ホルダ本体４０の一面に複数互いに平行に設けられ、ホルダ本体４０の長手方向に延びている。隣接する仕切りリブ４３間には金具配置溝が形成される。これら仕切りリブ４３と直交するようにしてストッパ壁４４が、ホルダ本体４０の長手方向両端側に夫々設けられている。各ストッパ壁４４は金具配置溝を塞ぐものではなく、これの裏側を前記中継端子金具３４が通過可能になっている。
【００３０】
支持凸部４５はホルダ本体４０の他面に設けられていて、複数のリブで形成されている。これらリブからなる支持凸部４５は、図７に示されるようにホルダ本体４０の長手方向に延びて設けられているとともに、コンデンサ３５〜３７を斜めに支持するための複数の斜面４５ａ〜４５ｃを有している。なお、図７中４６は補助リブであり、これはコンデンサを斜めに支持するための斜面は持っていないが、前記斜面４５ａ〜４５ｃに個別に連なる水平なコンデンサ受け面４５ｄと同一高さのコンデンサ受け面４６ａを有している。
【００３１】
図１および図５に示されるように中継端子金具３４は前記金具配置溝に個別に収納して設けられる。これらの端子金具３４は、その幅方向の動きは仕切りリブ４３により妨げられているとともに、ホルダ本体４０の一面から離れる方向の動きはストッパ壁４４により妨げられ、かつ、切起こし３４ａ（図１および図２参照）を一方のストッパ壁４４に引っ掛けることにより、長手方向にも動き止めされている。
【００３２】
中継端子金具３４の一端部３４ｂは、前記端子金具３１に重ねられているとともに、この金具３１に半田付けされて機械的かつ電気的に接続されている。中継端子金具３４の他端部３４ｃは、前記端子金具２６の半田付け端部２６ｃに重ねられているとともに、この金具２６に半田付けされて機械的かつ電気的に接続されている。
【００３３】
コンデンサ３５は進相用、コンデンサ３６は起動用、コンデンサ３７は雑音防止用であって、これらのコンデンサ３５〜３７は、いずれも、コンデンサ本体３５ａ〜３７ａに２本のリード３５ｂ〜３７ｂを突設してなる。各コンデンサ３５〜３７は、そのリード３５ｂ〜３７ｂをホルダ３３に設けた円錐状の孔３３ａ（図２参照）および中継端子金具３４に通し、この端子金具３４に半田付けにより接続されている。図１（Ａ）および図２中符号４７は夫々半田付け部を示している。
【００３４】
コンデンサ３５は、そのコンデンサ本体３５ａを支持凸部４５の斜面４５ａおよびこれに連なるコンデンサ受け面４５ｄと補助リブ４６のコンデンサ受け面４６ａとに係合して、図１（Ｂ）および図２に示されるようにケース２１の長手方向に斜めに支持されている。コンデンサ３６は、そのコンデンサ本体３６ａを支持凸部４５の斜面４５ｂおよびこれに連なるコンデンサ受け面４５ｄとに係合して、図１（Ｂ）および図２に示されるようにケース２１の長手方向に斜めに支持され、同様に、コンデンサ３７は、そのコンデンサ本体３７ａを支持凸部４５の斜面４５ｃおよびこれに連なるコンデンサ受け面４５ｄとに係合して、図１（Ｂ）および図２に示されるようにケース２１の長手方向に斜めに支持されている。こうして斜めに各コンデンサ３５〜３７が設けられることに伴い、図２に示されるように各リード３５ｂ〜３７ｂは円錐孔３３ａにおいて折り曲げられているとともに、各コンデンサ３５〜３７は互いに非接触であって平行に配置される。
【００３５】
放電抵抗３８はコンデンサ３５の近傍に配置されている。この抵抗３８は、そのリード３８ａをホルダ３３に設けた円錐状の孔３３ｂおよび中継端子金具３４に通し、この端子金具３４に半田付けにより接続されている。図２中符号４８は夫々半田付け部を示している。放電抵抗３８は、放電等安定器に対する電源をオフした時に、進相用コンデンサ３５の電荷を逃がすために使用されている。なお、他のコンデンサ３６、３７の電荷は電源オフ時においてトランス本体２９に放電される。
【００３６】
ケース２１とその内蔵部品（トランス本体２９、ホルダユニット３２）との間の空間には不飽和ポリエステル樹脂等からなる充填剤４９が充填されていて、ケース２１内での各内蔵部品の動き止めと、各内蔵部品の耐湿性の向上と、各内蔵部品からケース２１への放熱性の向上とが図られている。この充填剤４９の充填は、前記内蔵部品が内蔵されたケース２１を、その端部材２３が底となるように垂直に立てて、その状態で上側に位置された端部材２４の開口２５を通して、充填剤原液を注入することにより実施される。
【００３７】
前記構成の放電灯安定器では、ホルダ３３に支持凸部４５を設けて、これで、中継端子金具３４に半田付けして取付けられるコンデンサ３５〜３７を、ケース２１に対して斜めの姿勢に支持している。
【００３８】
こうしたコンデンサ３５〜３７の支持により、各コンデンサ３５〜３７をホルダ３３に沿って寝かせて平行に設ける場合に比較して、各コンデンサ３５〜３７の配設に要するケース２１の長手方向に沿う配設スペースを小さくできる。それにより、ケース２１の全長を長くすることなく全体をコンパクトに形成できるとともに、それに伴ってケース２１、ホルダ３３、および中継端子金具３４を夫々短くできるから、それらの材料費が低減され、したがって、安価に放電灯安定器を作ることができる。
【００３９】
しかも、前記のような各コンデンサ３５〜３７の支持により、これらコンデンサ３５〜３７をホルダ３３に対して垂直に立てて設ける場合に比較して、図２に示されるようにケース２１のケース底板２１ａとの間の絶縁距離ｇを大きく確保できるので、各コンデンサ３５〜３７の耐圧不良を防止できる。したがって、所定の耐圧性能を得るために、ケース２１を大きくして絶縁距離を確保する必要がなく、全体を大きく作ることがないとともに、ケース底板２１ａ上に絶縁フィルム等の絶縁部材を設ける必要もなく、コスト高になることもない。
【００４０】
さらに、既述のように支持凸部４５でコンデンサ３５〜３７をケース２１の長手方向に斜めに支持したことにより、ケース２１内に充填剤４９を充填する前における組立てライン上での搬送や、充填剤４９の充填時において、支持凸部４５によってコンデンサ３５〜３７が揺れ動くことを抑制できる。それにより、コンデンサ３５〜３７のリード３５ｂ〜３７ｂと中継端子金具３４とのの半田付け部４７の半田に対するストレスを小さくできる。したがって、半田にクラックを生じることが防止されるから、クラックに基づく各種の不都合がなくなり、放電灯安定器の品質を高めることができる。
【００４１】
しかも、支持凸部４５は、複数のリブからなり、そのコンデンサ受け面４５ｄによりコンデンサ３５〜３７のコンデンサ本体３５ａ〜３７ａを、ホルダ３３から浮かせて支持するから、充填剤４９の充填前の状態では図２に示されるようにホルダ３３とコンデンサ３５〜３７との間に通路を確保できる。
【００４２】
そのため、斜めに支持されているコンデンサ３５〜３７が注入される充填剤原液を案内してその流れ込みを方向付けすることと相俟って、コンデンサ３５〜３７の傾斜上端側とこれに対向するホルダ３３との間に確保された前記通路を通して、前記充填剤４９中の気泡を排出できる。なお、図２中実線矢印で充填剤原液の流動方向を示し、点線矢印で気泡の排出方向を示す。
【００４３】
その上、既述のように各コンデンサ３５〜３７は斜めに支持されて、ケース底板２１ａに近接されずに、この底板２１ａとの間に絶縁距離ｇとなる大きなギャップを確保しているから、ケース２１内に充填される充填剤原液の流入をコンデンサ３５〜３９が邪魔することが少い。
【００４４】
すなわち、以上のように充填剤原液の流入が容易であるとともに、その流入と気泡の排出の挙動を、恰もコンデンサ本体３５ａ〜３７ａおよびリブからなる支持凸部４５により交通整理されたに等しくできるため、充填剤中の気泡が各コンデンサ本体３５ａ〜３７ａとホルダ３３との間に溜ることが防止されるとともに、前記気泡を容易に上昇させて排出できる。したがって、容易に充填剤４９の充填量をコントロールできる。
【００４５】
図８は本発明の第２実施例の要部を示している。この第２実施例は、各コンデンサの配置のみが前記第１実施例とは異なり、それ以外の構成は図８に図示されない部分を含めて図１〜図７に示した前記第１実施例の放電灯安定器と同じ構成であるので、図示されない構成については図１〜図７をもって代用するとともに、図示される同一ないしは同様な構成部分には第１実施例と同一の符号を付して、それらの構成の説明およびそれに基づく作用効果の説明については省略するが、これらの同一ないしは同様な部分についても第２実施例に係る放電灯安定器の構成の一部をなすものである。
【００４６】
この第２実施例において、各コンデンサ３５〜３７は、そのコンデンサ本体３５ａ〜３７ａのリード３５ｂ〜３７ｂが突出された側の端部を、これと反対側の端部よりも図８において下側となるようにコンデンサ本体３５ａ〜３７ａを斜めに傾けて支持されている。すなわち、各コンデンサ３５〜３７の傾斜方向は前記第１実施例とは逆となっている。なお、この点以外の構成は前記第１実施例と同じである。
【００４７】
そして、この第２実施例の構成においても、複数のリブからなる支持凸部４５により各コンデンサ３５〜３７をケース２１の長手方向に斜めに支持したから、前記第１実施例と同様な作用を得て、本発明の所期の目的を達成することができる。
【００４８】
なお、本発明は前記各実施例には制約されない。例えば、ホルダ３３に取付けられるコンデンサは進相用のもの一つのみであってもよい。
【００４９】
【発明の効果】
以上詳記したように本発明は構成されているので、以下の効果を有する。
請求項１に係る発明によれば、組み立てが完了するまでの間においてコンデンサの揺れ動きを抑制してコンデンサの半田付け部の半田に対するストレスを小さくできるので、半田にクラックを生じることを少なくでき、したがって、高品質な放電灯安定器を提供できる。さらに、コンデンサが複数設けられる場合でも、それらをホルダに沿って寝かせて平行に設ける場合に比較して、各コンデンサの配設に要するケースの長手方向に沿う配設スペースが小さく済むので、ケースの長さを長くすることなくコンパクトに形成できるとともに、それに伴ってケース、ホルダ、および中継端子金具の材料費が低減されるから、安価に作ることができる。しかも、コンデンサをホルダに対して垂直に立てて設ける場合に比較して、ケースのケース底板との間の絶縁距離を大きく確保できるので、コンデンサの耐圧不良を防止できる。
【００５０】
更に、請求項１の発明に係る放電灯安定器によれば、ケース内に充填される充填剤の流入をコンデンサが邪魔することが少ないとともに、充填剤中の気泡の排出が容易であるから、充填剤の充填量のコントロールを容易にできる。
【図面の簡単な説明】
【図１】（Ａ）は本発明の第１実施例に係る放電灯安定器の構成を示す縦断平面図。
（Ｂ）は第１実施例に係る放電灯安定器の構成を示す縦断側面図。
【図２】第１実施例に係る放電灯安定器の要部の構成を充填剤が充填される前の状態において拡大して示す縦断側面図。
【図３】図１（Ｂ）中矢印Ｚ方向から第１実施例に係る放電灯安定器を見て示す図。
【図４】図１（Ｂ）中Ｙ−Ｙ線に沿って示す放電灯安定器の断面図。
【図５】第１実施例に係る放電灯安定器が備えるホルダユニットの構成を示す斜視図。
【図６】図５中矢印Ｘ方向からホルダユニットを見て示す図。
【図７】図５に示されたホルダユニットが備えるホルダの構成を示す斜視図。
【図８】本発明の第２実施例に係る放電灯安定器の要部の構成を充填剤が充填される前の状態において示す縦断側面図。
【図９】（Ａ）は第１従来例に係る放電灯安定器の構成を示す縦断平面図。
（Ｂ）は第１従来例に係る放電灯安定器の構成を示す縦断側面図。
【図１０】（Ａ）は第２従来例に係る放電灯安定器の構成を示す縦断平面図。
（Ｂ）は第２従来例に係る放電灯安定器の構成を示す縦断側面図。
【図１１】図１０（Ｂ）中Ｗ−Ｗ線に沿って示す断面図。
【図１２】（Ａ）は第２実施例に係る放電灯安定器が備えるホルダをその一面側から見て示す斜視図。
（Ｂ）は第２実施例に係る放電灯安定器が備えるホルダをその他面側から見て示す斜視図。
【符号の説明】
２１…ケース、
２１ａ…ケース底板、
２３、２４…端部材、
２５…端部材の開口、
２６…端子金具、
２８…端子金具、
２９…トランス本体、
３０…端子金具、
３１…端子金具、
３２…ホルダユニット、
３３…ホルダ、
３４…中継端子金具、
３５、３６、３７…コンデンサ、
３５ａ、３６ａ、３７ａ…コンデンサ本体、
４５…支持凸部、
４５ａ、４５ｂ、４５ｃ…支持凸部の斜面、
４５ｄ…コンデンサ受け面、
４９…充填剤。
【図１】
0003702490.tif 000002
【図２】
0003702490.tif 000003
【図３】
0003702490.tif 000004
【図４】
0003702490.tif 000005
【図５】
0003702490.tif 000006
【図６】
0003702490.tif 000007
【図７】
0003702490.tif 000008
【図８】
0003702490.tif 000009
【図９】
0003702490.tif 000010
【図１０】
0003702490.tif 000011
【図１１】
0003702490.tif 000012
【図１２】
0003702490.tif 000013